(57)【要約】    【課題】  一連の画像をユーザが意図する区分のファイルで送信する。区分ファイル生成の信頼性を高くする。    【解決手段】  画像面を表す画像データを発生する撮影手段（２３０，２１０）；画像面群を分割する面数を指定する分割面数指定手段（２２０／ＰＣ）；該画像面群にファイル名を与え、各分割に連番を与える手段（３１ａ／ＰＣ）；前記撮影手段が発生した一連の画像面群の画像データを前記分割面数指定手段が指定した面数分ごとに区分し各区分を前記ファイル名および連番を含む識別情報のファイルとする画像ファイル生成手段（ＩＭＡＣ）；および、該画像ファイル生成手段（ＩＭＡＣ）が生成したファイルを送信する手段（３１ａ，ＩＭＡＣ，３８）；を備える撮像装置。フォルダも生成し、そこに前記ファイルを格納する。  【選択図】  図１３−３
2005217624.tif 000002
【特許請求の範囲】
【請求項１】
画像面を表す画像データを発生する撮影手段；
画像面群を分割する面数を指定する分割面数指定手段；
該画像面群にファイル名を与え、各分割に連番を与える手段；
前記撮影手段が発生した一連の画像面群の画像データを前記分割面数指定手段が指定した面数分ごとに区分し各区分を前記ファイル名および連番を含む識別情報のファイルとする画像ファイル生成手段；および、
該画像ファイル生成手段が生成したファイルを送信する手段；
を備える撮像装置。
【請求項２】
更に、フォルダ名を指定する手段を備え；前記ファイル送信手段は、送信先のディレクトリ内に該フォルダを作成し、その中に送信フアイルを書き込む；請求項１に記載の撮像装置。
【請求項３】
更に、フォルダの連番桁数を指定する手段を備え；前記ファイル送信手段は、既に同じ名前のフォルダが存在しているときは、前記連番桁数指定手段が指定した連番桁数の既に存在しない連番のフォルダを作成する；請求項２に記載の撮像装置。
【請求項４】
前記撮影手段は、ＡＤＦ付き原稿スキャナである、請求項１乃至３の何れか１つに記載の撮像装置。
【請求項５】
ＡＤＦ付き原稿スキャナ；
該原稿スキャナが発生した画像データに原稿画像の読み取り補正を加える画像データ処理器；
画像面群を分割するページ数を指定する分割ページ数指定手段；
該画像面群にファイル名を与え、各分割に連番を与える手段；
前記原稿スキャナが発生し前記画像データ処理器が補正を加えた一連の画像ページ群の画像データを前記分割ページ数指定手段が指定したページ数分ごとに区分し各区分を前記ファイル名および連番を含む識別情報のファイルとする画像ファイル生成手段；および、
該画像ファイル生成手段が生成したファイルを送信する手段；
を備える画像処理装置。
【請求項６】
ＡＤＦ付き原稿スキャナ；
該原稿スキャナが発生した画像データに原稿画像の読み取り補正を加える第１画像データ処理器；
画像面群を分割するページ数を指定する分割ページ数指定手段；
該画像面群にファイル名を与え、各分割に連番を与える手段；
前記原稿スキャナが発生し前記画像データ処理器が補正を加えた一連の画像ページ群の画像データを前記分割ページ数指定手段が指定したページ数分ごとに区分し各区分を前記ファイル名および連番を含む識別情報のファイルとする画像ファイル生成手段； 
該画像ファイル生成手段が生成したファイルを送信する手段；
画像データをプリンタ用の画像データに変換する第２画像データ処理器；および、
該プリンタ用の画像データが表わす画像を用紙上に形成するプリンタ；
を備える画像形成装置。
【発明の詳細な説明】
【技術分野】
【０００１】
この発明は、原稿スキャナ，デジタルカメラなどの、電子撮像素子（例えばＣＣＤ）を用いて画像光を画信号に変換しデジタルデータである画像データに変換する撮像装置ならびにそれを用いる画像処理装置および画像形成装置に関し、例えば、これに限定する意図ではないが、画像配信機能があるデジタルマルチファンクション複写機に用いることができる。
【背景技術】
【０００２】
【特許文献１】特開平１０−６３８６８号公報は、ＡＤＦ（自動原稿供給装置）付きのスキャナで複数枚の原稿を一連に読み取った場合に、ページ単位での管理を可能にした画像処理システムを記載している。
【０００３】
【特許文献２】特開２００３−１８３９６号公報は、ブックモードの１枚の原稿の読み取りの度にファイルを生成し、連番付けが指定されている場合には、ファイル名として連番を付加する画像処理システムを記載している（［００７８］，［００８２］，図１１）。
【発明の開示】
【発明が解決しようとする課題】
【０００４】
数枚単位の原稿が多数セットあり、セットごとにファイルを分けて作成したい場合に、現状の原稿スキャナではページごとまたは全ページ一緒のマルチページしか指定できないので、１セットごとにスキャナに原稿を置いて読み取り操作を多数セット分繰り返して行わなければならず、使い勝手が悪い。セット読み取りの繰り返しの間にファイル名が重複してしまって各セットの判別できなくなったり、先行読み取りの画像データが上書きで消えてしまったりするので、使い勝手が悪い。全セットを連続して読取を行うと、１つのディレクトリ内にイメージファイルが多数入ってしまいどのファイルが、どのセットの原稿のイメージであるかが判らなくなってしまい、使い勝手が悪い。
【０００５】
本発明は、これらを改善することを目的とする。具体的には、一連の画像をユーザが意図する区分のファイルで送信することを第１の目的とし、区分ファイル生成の信頼性を高くすることを第２の目的とする。
【課題を解決するための手段】
【０００６】
（１）画像面を表す画像データを発生する撮影手段（２３０，２１０）；
画像面群を分割する面数を指定する分割面数指定手段（２２０／ＰＣ）；
該画像面群にファイル名を与え、各分割に連番を与える手段（３１ａ／ＰＣ）；
前記撮影手段が発生した一連の画像面群の画像データを前記分割面数指定手段が指定した面数分ごとに区分し各区分を前記ファイル名および連番を含む識別情報のファイルとする画像ファイル生成手段（ＩＭＡＣ）；および、
該画像ファイル生成手段（ＩＭＡＣ）が生成したファイルを送信する手段（３１ａ，ＩＭＡＣ，３８）；を備える撮像装置。
なお、理解を容易にするためにカッコ内には、図面に示し後述する実施例の対応要素又は対応機能の符号を、例示として参考までに付記した。以下も同様である。
【発明の効果】
【０００７】
たとえばスキャナを用いる原稿読み取りに適用した場合、数枚１セットの原稿が多数セットあり、セットごとにファイルを分けて作成したい場合に、１セットのページ数を指定する操作で区分を指定し、原稿を多数セット一度にＡＤＦに置いて１回の読み取り操作をすると、一連（多数セット）の読み取り画像データを、セットごとに分割した各ファイルが作成されるので、多数セット一度にＡＤＦに置いて１回の読み取り操作を行う場合でも、各区分のファイルとして送信することが出来る。連続して読取を行っても、ファイル名に連番が付加されるので、重複してしまって判別できなくなったり、上書きで消えてしまったりすることがない。撮像装置の使い勝手および業務の効率が向上する。
【発明を実施するための最良の形態】
【０００８】
（２）更に、フォルダ名を指定する手段（２２０／ＰＣ）を備え；前記ファイル送信手段は、送信先のディレクトリ内に該フォルダを作成し、その中に送信フアイルを書き込む；上記（１）に記載の撮像装置。これによれば、例えばＡＤＦに原稿束を取り替えて繰り返し読取を行っても、新たな原稿束の読み取りごとにディレクトリが作成されてそこにセット区分のイメージファイルが書き込まれるので、１つのディレクトリ内に何回もの読み取りのイメージファイルが多数入ってしまうことがなく、フォルダで整理されて書き込まれるので、使い勝手が良い。
【０００９】
（３）更に、フォルダの連番桁数を指定する手段（２２０／ＰＣ９）を備え；前記ファイル送信手段は、既に同じ名前のフォルダが存在しているときは、前記連番桁数指定手段が指定した連番桁数の既に存在しない連番のフォルダを作成する；上記（２）に記載の撮像装置。これによれば、既に同じ名前のフォルダが存在している場合に、１つのディレクトリ内に何回もの読み取りのイメージファイルが多数入ってしまことがない。
【００１０】
（４）前記撮影手段は、ＡＤＦ付き原稿スキャナ（２３０，２１０）である、上記（１）乃至（３）の何れか１つに記載の撮像装置。
【００１１】
（４ａ）前記分割面数指定手段（２２０／ＰＣ）は、画像面群を均等分割する面数を指定するものである、上記（１）乃至（４）の何れか１つに記載の撮像装置。
【００１２】
（４ｂ）前記分割面数指定手段（２２０／ＰＣ）は、画像面群の各区分の面数を指定するものである、上記（１）乃至（４）の何れか１つに記載の撮像装置。
【００１３】
（５）ＡＤＦ付き原稿スキャナ（２３０，２１０）；
該原稿スキャナが発生した画像データに原稿画像の読み取り補正を加える画像データ処理器（ＩＰＰ）；
画像面群を分割するページ数を指定する分割ページ数指定手段（２２０／ＰＣ）；
該画像面群にファイル名を与え、各分割に連番を与える手段（２２０，３１ａ／ＰＣ）；
前記原稿スキャナが発生し前記画像データ処理器が補正を加えた一連の画像ページ群の画像データを前記分割ページ数指定手段が指定したページ数分ごとに区分し各区分を前記ファイル名および連番を含む識別情報のファイルとする画像ファイル生成手段（ＩＭＡＣ）；および、
該画像ファイル生成手段（ＩＭＡＣ）が生成したファイルを送信する手段（３１ａ，ＩＭＡＣ，３８）；
を備える画像処理装置。
【００１４】
これによれば、原稿スキャナの読み取り歪みを補正した高品質の画像データの、原稿セット区分でファイル化した送信が出来る。
【００１５】
（６）ＡＤＦ付き原稿スキャナ（２３０，２１０）；
該原稿スキャナが発生した画像データに原稿画像の読み取り補正を加える第１画像データ処理器（ＩＰＰの１９０）；
画像面群を分割するページ数を指定する分割ページ数指定手段（２２０／ＰＣ）；
該画像面群にファイル名を与え、各分割に連番を与える手段（２２０，３１ａ／ＰＣ）；
前記原稿スキャナが発生し前記画像データ処理器が補正を加えた一連の画像ページ群の画像データを前記分割ページ数指定手段が指定したページ数分ごとに区分し各区分を前記ファイル名および連番を含む識別情報のファイルとする画像ファイル生成手段（ＩＭＡＣ）；
該画像ファイル生成手段（ＩＭＡＣ）が生成したファイルを送信する手段（３１ａ，ＩＭＡＣ，３８）；
画像データをプリンタ用の画像データに変換する第２画像データ処理器（ＩＰＰの３００）；および、
該プリンタ用の画像データが表わす画像を用紙上に形成するプリンタ（ＰＴＲ）；
を備える画像形成装置。
【００１６】
これによれば、原稿スキャナの読み取り歪みを補正した高品質の画像データの、原稿セット区分でファイル化した送信が出来る。また、画像データのプリントアウトが可能である。
【００１７】
（７）更に、画像面群の画像データを蓄積する画像メモリ（ＭＥＭ，ＨＤＤ）を備え；前記画像ファイル生成手段（ＩＭＡＣ）は、該画像メモリに蓄積した一連の画像面群の画像データを前記分割面数指定手段が指定した面数分ごとに区分し各区分を前記ファイル名および連番を含む識別情報のファイルとする（図１１）；上記（１）乃至（６）の何れか１つに記載の装置。
【００１８】
（８）更に、画像データを蓄積する画像メモリ（ＭＥＭ，ＨＤＤ）を備え；前記画像ファイル生成手段（ＩＭＡＣ）は、前記撮影手段が発生する一連の画像面群の画像データを前記分割面数指定手段が指定した面数分ごとに区分し各区分を前記ファイル名および連番を含む識別情報のファイルとして前記画像メモリに蓄積する（図１９）；上記（１）乃至（６）の何れか１つに記載の装置。
【００１９】
（９）撮像装置（２３０，２１０，ＡＣＰ）およびパソコン（ＰＣ）を含む画像処理システムであって、
前記撮像装置は、ＡＤＦ付き原稿スキャナ（２３０，２１０）；該原稿スキャナが発生した一連の原稿の画像データを蓄積する画像メモリ（ＭＥＭ，ＨＤＤ）；前記画像メモリに蓄積した一連の原稿の画像データを前記パソコンが指定したページ数分ごとに区分し各区分を前記パソコンが指定したファイル名および連番を含む識別情報のファイルとする画像ファイル生成手段（ＩＭＡＣ）；および、該画像ファイル生成手段（ＩＭＡＣ）が生成したファイルを前記パソコンに送信する手段（３１ａ，ＩＭＡＣ，３８）；を含み、
前記パソコン（ＰＣ）は、前記一連の原稿の画像群を分割するページ数を指定する分割ページ数指定手段（２２０／ＰＣ）；該画像群にファイル名を与え、各分割に連番を与え、該ファイルの格納ディレクトリを決定する手段（３１ａ／ＰＣ）；前記画像群を分割するページ数，ファイル名および連番を前記撮像装置に送信する手段；および、前記撮像装置から受信したファイルを前記ディレクトリに収納する手段；を含む（図１４）、
ことを特徴とする画像処理システム。
【００２０】
（１０）撮像装置（２３０，２１０，ＡＣＰ）およびパソコン（ＰＣ）を含む画像処理システムであって、
前記撮像装置は、ＡＤＦ付き原稿スキャナ（２３０，２１０）；該原稿スキャナが発生した一連の原稿の画像データを蓄積する画像メモリ（ＭＥＭ，ＨＤＤ）；該画像メモリに蓄積した一連の原稿の画像のサムネイルを前記パソコンに送信する手段（３１ａ，ＩＭＡＣ，３８）；前記画像メモリに蓄積した一連の原稿の画像データを前記パソコンが指定したページ数分ごとに区分し各区分を前記パソコンが指定したファイル名および連番を含む識別情報のファイルとする画像ファイル生成手段（ＩＭＡＣ）；および、該画像ファイル生成手段（ＩＭＡＣ）が生成したファイルを送信する手段（３１ａ，ＩＭＡＣ，３８）；を含み、
前記パソコン（ＰＣ）は、前記一連の原稿のサムネイルを表示するためのディスプレイ；前記一連の原稿の画像群を分割するページ数を指定する分割ページ数指定手段（２２０／ＰＣ）；該画像群にファイル名を与え、各分割に連番を与え、該ファイルの格納ディレクトリを決定する手段（３１ａ／ＰＣ）；前記画像群を分割するページ数，ファイル名および連番を前記撮像装置に送信する手段；および、前記撮像装置から受信したファイルを前記ディレクトリに収納する手段；を含む（図１８）、
ことを特徴とする画像処理システム。
【００２１】
（１１）撮像装置（２３０，２１０，ＡＣＰ）およびパソコン（ＰＣ）を含む画像処理システムであって、
前記撮像装置は、ＡＤＦ付き原稿スキャナ（２３０，２１０）；該原稿スキャナが発生する一連の原稿の画像データを前記パソコンが指定したページ数分ごとに区分し各区分を前記パソコンが指定したファイル名および連番を含む識別情報のファイルとする画像ファイル生成手段（ＩＭＡＣ）；および、該画像ファイル生成手段（ＩＭＡＣ）が生成したファイルを前記パソコンに送信する手段（３１ａ，ＩＭＡＣ，３８）；を含み、
前記パソコン（ＰＣ）は、前記一連の原稿の画像群を分割するページ数を指定する分割ページ数指定手段（２２０／ＰＣ）；該画像群にファイル名を与え、各分割に連番を与え、該ファイルの格納ディレクトリを決定する手段（３１ａ／ＰＣ）；前記画像群を分割するページ数，ファイル名および連番を前記撮像装置に送信する手段；および、前記撮像装置から受信したファイルを前記ディレクトリに収納する手段；を含む（図２０）、
ことを特徴とする画像処理システム。
【００２２】
（１２）撮像装置（２３０，２１０，ＡＣＰ），パソコン（ＰＣ）および配信サーバ（ＤＳＲ）を含む画像処理システムであって、
前記撮像装置は、ＡＤＦ付き原稿スキャナ（２３０，２１０）；該原稿スキャナが発生した一連の原稿の画像データを蓄積する画像メモリ（ＭＥＭ，ＨＤＤ）；前記画像メモリに蓄積した一連の原稿の画像データを前記パソコンが指定したページ数分ごとに区分し各区分を前記パソコンが指定したファイル名および連番を含む識別情報のファイルとする画像ファイル生成手段（ＩＭＡＣ）；および、該画像ファイル生成手段（ＩＭＡＣ）が生成したファイルを前記配信サーバに送信する手段（３１ａ，ＩＭＡＣ，３８）；を含み、
前記パソコン（ＰＣ）は、前記一連の原稿の画像群を分割するページ数を指定する分割ページ数指定手段（２２０／ＰＣ）；該画像群にファイル名を与え、各分割に連番を与え、前記配信サーバに該ファイルの格納ディレクトリを定める手段（３１ａ／ＰＣ）；および、前記画像群を分割するページ数，ファイル名および連番を前記撮像装置に送信する手段；を含む（図１４）、
ことを特徴とする画像処理システム。
【００２３】
（１３）撮像装置（２３０，２１０，ＡＣＰ），パソコン（ＰＣ）および配信サーバ（ＤＳＲ）を含む画像処理システムであって、
前記撮像装置は、ＡＤＦ付き原稿スキャナ（２３０，２１０）；該原稿スキャナが発生する一連の原稿の画像データを前記パソコンが指定したページ数分ごとに区分し各区分を前記パソコンが指定したファイル名および連番を含む識別情報のファイルとする画像ファイル生成手段（ＩＭＡＣ）；および、該画像ファイル生成手段（ＩＭＡＣ）が生成したファイルを前記配信サーバに送信する手段（３１ａ，ＩＭＡＣ，３８）；を含み、
前記パソコン（ＰＣ）は、前記一連の原稿の画像群を分割するページ数を指定する分割ページ数指定手段（２２０／ＰＣ）；該画像群にファイル名を与え、各分割に連番を与え、前記配信サーバに該ファイルの格納ディレクトリを定める手段（３１ａ／ＰＣ）；および、前記画像群を分割するページ数，ファイル名および連番を前記撮像装置に送信する手段；を含む（図２０）、
ことを特徴とする画像処理システム。
【００２４】
本発明の他の目的および特徴は、図面を参照した以下の実施例の説明より明らかになろう。
【実施例】
【００２５】
−第１実施例−
図１に、本発明の１実施例の複合機能フルカラーデジタル複写機を示す。このフルカラー複写機は、大略で、自動原稿送り装置（ＡＤＦ）２３０と、操作ボード２２０と、カラースキャナ２１０と、カラープリンタＰＴＲおよびフィニッシャ１００の各ユニットで構成されている。なお、操作ボード２２０，ＡＤＦ２３０付きのカラースキャナ２１０およびフィニッシャ１００は、プリンタＰＴＲから分離可能なユニットであり、カラースキャナ２１０は、動力機器ドライバやセンサ入力およびコントローラを有する制御ボードを有して、画像データ処理装置ＡＣＰ（図４）と通信を行いタイミング制御されて原稿画像の読み取りを行う。パソコンＰＣは、ＬＡＮ(Local Area Network)を介して複写機の画像データ処理装置ＡＣＰ（図４）に接続されている。ファクシミリコントロールユニットＦＣＵ（図４）には、電話回線ＰＮ（ファクシミリ通信回線）に接続された交換器ＰＢＸが接続されている。カラープリンタＰＴＲのプリント済の用紙は、フィニッシャ１００に排出される。
【００２６】
図２に、カラープリンタＰＴＲの機構を示す。この実施例のカラープリンタＰＴＲは、レーザプリンタである。１色のトナー像を形成する、感光体１５および現像器２７ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト１６に沿ってタンデムに配列されており、それらによって形成された各色トナー像が順次に一枚の転写紙上に重ねて転写される。
【００２７】
第１トレイ８，第２トレイ９および第３トレイ１０に積載された転写紙は、各々第１給紙装置１１，第２給紙装置１２および第３給紙装置１３によって給紙され、縦搬送ユニット１４によって感光体１５に当接する位置まで搬送される。スキャナ５０にて読み込まれた画像データは、書込ユニット６０からのレーザー露光によって、図示を省略したチャージャによって均一に荷電した感光体１５に書込まれこれにより静電潜像を形成する。この静電潜像が現像ユニット２７を通過することによって感光体１５上にトナー像が現れる。転写紙が感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２８】
図２に示す、後処理装置のフィニシャ１００は、本体の排紙ユニット１８によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２９】
一方、通常の排紙トレイ１０４は前後（図２紙面と垂直な方向）に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００３０】
転写紙の両面に画像を作像する場合は、各給紙トレイ８〜１０から給紙され作像された転写紙を排紙トレイ１０４側に導かないで、経路切り替えの為の分岐爪１９を下向きに廻す事で、一旦反転ユニット１１２に導き、そして両面給紙ユニット１１１にストックする。
【００３１】
その後、両面給紙ユニット１１１にストックされた転写紙は再び感光体１５に作像されたトナー画像を転写するために、両面給紙ユニット１１１から再給紙され、経路切り替えの為の分岐爪１１２を図示水平に戻し、排紙トレイ１０４に導く。この様に転写紙の両面に画像を作成する場合に、反転ユニット１１２および両面給紙ユニット１１１が使用される。
【００３２】
感光体１５，搬送ベルト１６，定着ユニット１７，排紙ユニット１８および現像ユニット２７は、図示を省略したメインモータによって駆動され、各給紙装置１１〜１３はメインモータの駆動を、やはり図示を省略した各給紙クラッチによって伝達することにより駆動される。縦搬送ユニット１４は、メインモータの駆動を図示を省略した中間クラッチによって伝達することにより駆動される。
【００３３】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００３４】
スキャナ２１０には、自動原稿供給装置ＡＤＦ２３０が装着されている。ＡＤＦ２３０の原稿トレイ２４１に積載された原稿は、ピックアップローラ２４２およびレジストローラ対２４３で搬送ドラム（プラテン）２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００３５】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００３６】
また、原稿の裏面の画像は、光源および撮像素子を内蔵する撮像装置４０８で読取られ光電変換される。すなわちＲＧＢ各色画像信号に変換される。撮像装置４０８に対向する白色背板４０９があり、撮像装置４０８と白色背板４０９の間を原稿が通過する。
【００３７】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００３８】
図４に、図１に示す複写機の画像処理系統のシステム構成を示す。このシステムでは、読取ユニット２１１と画像データ出力Ｉ／Ｆ(Interface：インターフェイス)２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタＰＴＲが接続されている。カラープリンタＰＴＲは、画像データ処理装置ＡＣＰの画像データ処理器ＩＰＰ（Image Processing Processor；以下では単にＩＰＰと記述）から、書込みＩ／Ｆ１３４にＹＭＣＫ記録画像データを受けて、作像ユニット１３５でプリントアウトする。作像ユニット１３５は、図２に示すものである。
【００３９】
画像データ処理装置ＡＣＰ（図４）はルータに接続されており、該ルータには、パソコンＰＣが接続したＬＡＮのハブ（図示略）およびインターネットに接続したモデム（図示略）が接続されており、画像データ処理装置ＡＣＰは、ＬＡＮに接続した機器（例えば、パソコンＰＣ，サーバＤＳＲ，プリンタ，スキャナ，複合機能複写機など）と通信して画像データの送，受信をすることができる。また、インターネットを介して、インターネット通信機能がある他の機器と通信して画像データの送，受信をすることができる。ＬＡＮのハブに接続された配信サーバＤＳＲは、それに送信された又は蓄積したファイル（メール，画像）を、指定された又は登録された宛て先（ＬＡＮ接続機器又はインターネット接続機器）に配信するコンピュータである。
【００４０】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００４１】
カラー原稿スキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上で信号処理しかつＲＧＢ画像データに変換しかつシェーディング補正して、出力Ｉ／Ｆ２１２を介してＣＤＩＣに送出する。
【００４２】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。
【００４３】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００４４】
画像メモリアクセス制御ＩＭＡＣ（以下では単にＩＭＡＣと記述）は、パソコンのハードウエアおよびソフトウエアと同等のものを備えており、ＭＥＭおよびＨＤＤに対する画像データ，制御データの書き込み／読み出しを制御する他に、ｗｗｗサーバ（ソフト），ＦＴＰサーバ（ソフト），ＳＭＴＰサーバ（ソフト），ＤＨＣＰサーバ（ソフト）およびその他のファイル，メールの送受信に使用するサーバ（ソフト）がセットアップされている。なお、これらのソフト（プログラム）はＨＤＤに格納されている。
【００４５】
システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００４６】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００４７】
スキャナ２１０およびＡＤＦのＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００４８】
ＩＭＡＣは、システムコントローラ３１ａの制御に基づいて、画像データとＭＥＭ，ＨＤＤのアクセス制御，ＬＡＮ上に接続したパソコンＰＣ（以下では単にＰＣと表記）のプリント用データの展開，ＭＥＭ，ＨＤＤの有効活用のための画像データの圧縮／伸張、ならびに、各種サーバ（ソフト）を使用する画像ファイルの生成およびＬＡＮ又はインターネットを介する送，受信を行う。
【００４９】
ＩＭＡＣへ送られた画像データは、データ圧縮後、ＭＥＭ又はＨＤＤに蓄積され、蓄積された画像データは必要に応じて読み出される。プリントのために読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙（用紙）上に再生画像を形成する。ＬＡＮ又はインターネットを介して送信をする場合には、圧縮データのままネットワークＩ／Ｆ３８およびルータを介して、ＬＡＮ又はインターネットに送出する。
【００５０】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００５１】
複数ジョブ、たとえば、画像読み取り機能，コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソース（ジョブ）の起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能，連結転送機能等の処理内容を設定する。
【００５２】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００５３】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００５４】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００５５】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００５６】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。
【００５７】
汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００５８】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、このコントローラ３１ａを不揮発メモリ３５ａおよびＲＡＭ３４ａと接続する。
【００５９】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。
【００６０】
システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００６１】
図５に、ＣＤＩＣの機能構成の概要を示す。画像データ入出力制御１６１は、カラー原稿スキャナ２１０（ＳＢＵ）が出力する画像データを受けて、ＩＰＰに出力する。ＩＰＰは、「スキャナ画像処理」１９０（図７，図８）をして、ＣＤＩＣの画像データ入力制御１６２に送りだす。画像データ入力制御１６２が受けたデータは、パラレルバスＰｂでの転送効率を高めるためにデータ圧縮部１６３に於いて、画像データの１次圧縮を行う。圧縮した画像デ−タは、データ変換部１６４でパラレルデータに変換してパラレルデータＩ／Ｆ１６５を介してパラレルバスＰｂへ送出される。パラレルデータバスＰｂからパラレルデータＩ／Ｆ１６５を介して入力される画像データは、データ変換部１６４でシリアル変換される。このデータは、バス転送のために１次圧縮されており、データ伸張部１６６で伸張される。伸張された画像データは、画像データ出力制御１６７によってＩＰＰへ転送される。ＩＰＰでは、「画質処理」３００（図７，図８）によりＲＧＢ画像データをＹＭＣＫ画像データに変換し、プリンタ１００の画像出力用の画像データＹｐ，Ｍｐ，Ｃｐ，Ｋｐに変換してカラープリンタ１００に出力する。
【００６２】
ＣＤＩＣは、パラレルバスＰｂで転送するパラレルデータとシリアルバスＳｂで転送するシリアルデータの変換機能を併せ持つ。システムコントローラ３１ａは、パラレルバスＰｂにデータを転送し、プロセスコントローラ１３１は、シリアルバスＳｂにデータを転送する。２つのコントローラ１，１３１の通信のために、デ−タ変換部１６４およびシリアルデ−タＩ／Ｆ１６９で、パラレル／シリアルデータ変換を行う。シリアルデータＩ／Ｆ１６８は、ＩＰＰ用であり、ＩＰＰともシリアルデ−タ転送する。
【００６３】
図６に、ＩＭＡＣの構成の概略を示す。ＩＭＡＣは、アクセス制御１７２、メモリ制御１７３、２次圧縮／伸張モジュール１７６、画像編集モジュール１７７、システムＩ／Ｆ  １７９、ローカルバス制御１８０、パラレルバス制御１７１、シリアルポート制御１７５、シリアルポート１７４およびネットワーク制御１７８を備えている。２次圧縮／伸張モジュール１７６、画像編集モジュール１７７、パラレルバス制御１７１、シリアルポート制御１７５およびネットワーク制御１７８は、それぞれＤＭＡＣ（ダイレクトメモリアクセス制御）を介してアクセス制御１７２に接続されている。
【００６４】
システムＩ／Ｆ  １７９はシステムコントローラ３１ａに対する命令またはデータの送受信をおこなう。基本的に、システムコントローラ３１ａはＡＣＰ全体を制御する。また、システムコントローラ３１ａはＭＥＭ，ＨＤＤの資源配分を管理し、他のユニットの制御は、システムＩ／Ｆ  １７９、パラレルバス制御１７１およびパラレルバスＰｂを介しておこなう。
【００６５】
ＡＣＰの各ユニットは基本的にパラレルバスＰｂに接続されている。したがって、パラレルバス制御１７１は、バス占有の制御をおこなうことによってシステムコントローラ３１ａおよびＭＥＭ，ＨＤＤに対するデータの送受信を管理する。
【００６６】
ネットワーク制御１７８は、ＬＡＮおよびインターネットとの接続を制御する。ネットワーク制御１７８は、ネットワークに接続された外部拡張機器に対するデータの送受信を管理する。すなわち、ＨＤＤに格納（セットアップ）したｗｗｗサーバ，ＦＴＰサーバ，ＳＭＴＰサーバ，ＤＨＣＰサーバおよびその他の、ファイル，メールの送受信に使用するサーバに基づいて、ＬＡＮおよびインターネットを介するファイル，メールの送受信を行う。また、送信ファイルの生成ならびに受信ファイルのディレクトリへの付加を行う。システムコントローラ３１ａは、ネットワーク上の接続機器の動作管理には関与しないが、ＩＭＡＣにおけるインターフェースについては制御をおこなう。例えば、操作ボード２２０又はＰＣからの原稿読み取り＆送信のコマンドに対応してＩＭＡＣに、送信ファイルの生成，送信先のディレクトリの生成および送信を指示する。
【００６７】
シリアルバスに接続されるシリアルポート１７４は複数のポートを備えている。シリアルポート制御１７５は、用意されているバスの種類に対応する数のポート制御機構を備えている。外部シリアルポートとは別に、操作部とのコマンド受け付けまたは表示に関するデータの送受信の制御を行う。
【００６８】
ローカルバス制御１８０は、システムコントローラ３１ａを起動させるために必要なＲＡＭ３４ａ，不揮発メモリ３５ａおよびプリンタコードデータを展開するフォントＲＯＭ３６ａが接続されたローカルシリアルバスＲｂとのインターフェースをおこなう。
【００６９】
動作制御は、システムＩ／Ｆ  １７９からシステムコントローラ３１ａによるコマンド制御を実施する。データ制御はＭＥＭ，ＨＤＤを中心に、外部ユニットからのＭＥＭ，ＨＤＤアクセスを管理する。画像データはＣＤＩＣからパラレルバスＰｂを介してＩＭＡＣに転送される。そして、その画像データはパラレルバス制御１７１においてＩＭＡＣ内に取り込まれる。
【００７０】
取り込まれた画像データのメモリアクセスは、システムコントローラ３１ａの管理から離れる。すなわち、そのメモリアクセスは、システム制御から独立してダイレクトメモリアクセス制御（ＤＭＡＣ）によりおこなわれる。ＭＥＭ，ＨＤＤへのアクセスについて、アクセス制御１７２は複数ユニットからのアクセス要求の調停をおこなう。そして、メモリ制御１７３は、ＭＥＭ，ＨＤＤのアクセス動作またはデータの読み出し／書き込みを制御する。
【００７１】
ネットワークからＭＥＭ，ＨＤＤへアクセスする場合、ネットワークからネットワーク制御１７８を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【００７２】
シリアルバスからＭＥＭ，ＨＤＤへアクセスする場合、シリアルポート制御１７５によりシリアルポート１７４を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【００７３】
ネットワークまたはシリアルバスに接続されたＰＣからのプリント出力データは、システムコントローラ３１ａにより、ローカルバス上のフオントデータを用いて、ＭＥＭ，ＨＤＤ内のメモリエリアに展開される。
【００７４】
各外部ユニットとのインターフェースについては、システムコントローラ３１ａが管理する。ＩＭＡＣ内に取り込まれた後のデータ転送については、図６に示すそれぞれのＤＭＡＣがメモリアクセスを管理する。この場合、各ＤＭＡＣは、お互いに独立してデータ転送を実行するため、アクセス制御１７２は、ＭＥＭ，ＨＤＤへのアクセスに関するジョブの衝突、または各アクセス要求に対する優先付けをおこなう。
【００７５】
ここで、ＭＥＭ，ＨＤＤへのアクセスには、各ＤＭＡＣによるアクセスの他に、格納データのビットマップ展開のためにシステムＩ／Ｆ  １７９を介してシステムコントローラ３１ａからのアクセスも含まれる。アクセス制御１７２において、ＭＥＭ，ＨＤＤへのアクセスが許可されたＤＭＡＣデータ、またはシステムＩ／Ｆ  １７９からのデータは、メモリ制御１７３によりＭＥＭ，ＨＤＤに直接転送される。
【００７６】
ＩＭＡＣは、その内部でのデータ加工に関して２次圧縮／伸張モジュール１７６および画像編集モジュール１７７を有する。２次圧縮／伸張モジュール１７６は、画像データまたはコードデータをＭＥＭ，ＨＤＤへ有効に蓄積できるようにデータの圧縮および伸張をおこなう。２次圧縮／伸張モジュール１７６はＤＭＡＣによりＭＥＭ，ＨＤＤとのインターフェースを制御する。
【００７７】
ＭＥＭ，ＨＤＤに一旦格納された画像データは、ダイレクトメモリアクセス制御ＤＭＡＣによりＭＥＭ，ＨＤＤからメモリ制御１７３、アクセス制御１７２を介して２次圧縮／伸張モジュール１７６に呼び出される。そこでデータ変換された画像データは、ダイレクトメモリアクセス制御ＤＭＡＣにより、ＭＥＭ，ＨＤＤへ戻されるか、外部バスへ出力される。
【００７８】
画像編集モジュール１７７は、ＤＭＡＣによりＭＥＭ，ＨＤＤを制御し、ＭＥＭ，ＨＤＤ内でのデータ加工をおこなう。具体的には、画像編集モジュール１７７は、メモリ領域のクリアの他に、データ加工として画像データの回転処理，異なる画像同士の合成などをおこなう。画像編集モジュール１７７は、ＭＥＭ，ＨＤＤから２次圧縮データを読出して２次圧縮／伸張モジュール１７６で１次圧縮データに伸張し、モジュール１７７内で、ＣＤＩＣのデータ伸張１６３と同じ復号化ロジックで１次圧縮データを画像データに伸張してモジュール１７７内のメモリに展開し、それを加工する。加工した画像データは、ＣＤＩＣの１次圧縮ロジックと同じ符号化ロジックで１次圧縮して、２次圧縮／伸張モジュール１７６で更に２次圧縮してＭＥＭ，ＨＤＤに書込む。
【００７９】
図７に、ＩＰＰの画像処理概略を示す。読み取り画像はＳＢＵ，ＣＤＩＣを介してＩＰＰの入力Ｉ／Ｆ（インターフェース）から「スキャナ画像処理」１９０へ伝達される。この「スキャナ画像処理」１９０は、読み取り画像信号の読み取り劣化補正が目的で、シェーディング補正を行った後にスキャナガンマ変換等を行った後にＣＤＩＣにデータは転送されて、ＭＥＭ，ＨＤＤでの蓄積が行われる。ＭＥＭ，ＨＤＤに蓄積し、そして読み出された画像データは、ＣＤＩＣを経由して再びＩＰＰに転送される。ここで「地肌除去補正処理」が行われる。そして「画質処理」３００が行われる。
【００８０】
図８に、ＩＰＰの画像処理機能の概要を示す。ＩＰＰは分離生成（画像が文字領域か写真領域かの判定：像域分離）１９２，地肌除去１９３，スキャナガンマ変換１９４，フィルタ１９５，色補正３０２，変倍３０３，画像加工３０４，プリンタガンマ変換３０５および階調処理６０６を行う。ＩＰＰは画像処理をおこなうプログラマブルな演算処理手段である。スキャナ２１０の出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。ＣＤＩＣからＩＰＰへ戻される画像データに対して、ＩＰＰにおいては、「画質処理」３００を行う。「画質処理」３００では、色補正３０２でＲＧＢ信号をＹＭＣＫ信号に色変換し、変倍３０３，画像加工３０４，プリンタガンマ変換３０５および、階調変換，ディザ処理もしくは誤差拡散処理などの階調処理３０６などをおこなう。
【００８１】
図９に示す様に、操作ボード２２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。また、図示は省略したが、液晶タッチパネル７９の左側には、ＵＲＬ，メール文，ファイル名，フォルダ名等の入力，設定用ならびに短縮登録用の、平仮名を付記したアルファベットキーボードがある。
【００８２】
テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能（「ジョブ宛て優先度の設定」を含む）ならびに「ＩＤ設定」機能，「著作権登録／設定」機能および「使用実績の出力」機能等を指定するための選択ボタンが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００８３】
液晶タッチパネル７９には、各種機能キー及び画像形成装置の状態を示すメッセージなどが表示される。液晶タッチパネル７９には、「コピー」機能，「スキャナ」機能，「プリント」機能，「ファクシミリ」機能，「蓄積」機能，「編集」機能，「登録」機能，「連結」機能およびその他の機能の選択用および実行中を表わす機能選択キー８０ｇが表示される。機能選択キー８０ｇで指定された機能に定まった入出力画面が表示され、例えば「複写」機能が指定されているときには、図９に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００８４】
図１０は、原稿スキャナ２１０による原稿画像の「読み取り」をユーザが指定したときの、液晶タッチパネル７９の表示を示す。「読み取り」のメニュー７９ｃには、図１０に示すように、ＭＥＭ又はＨＤＤに蓄積又は登録するための、あるいは編集するための「読み込み」９１，読み取りデータを配信サーバＤＳＲに送信する「配信」９２および読み取りデータをインターネットを介して送信する「メール」９３があり、操作ボード２２０が、それぞれ操作キーとして液晶タッチパネル７９に表示する。
【００８５】
図１１に、システムコントローラ３１ａの、操作ボード２２０，ＣＤＩＣ，ＩＰＰおよびＩＭＡＣを使用する、「読み取り」ＳＣＵの内容を示す。図９に示す機能選択キー８０ｇの「読み取り」にユーザがタッチ（接触）すると、システムコントローラ３１ａは、上述の、図１０に示す「読み取り」の入力画面を液晶タッチパネル７９に表示する（図１１のステップ１）。以下においてカッコ内には、ステップという語を省略して、ステップ番号のみを表記する。
【００８６】
ここでユーザが、メニュー画面７９ｃに触れないで、スタートキー８０ｃを操作したときには、操作ボード２２０がメニュー画面７９ｃを、図示しない「読み取り方式」入力画面に切換え、ユーザが読み取り方式を入力して該入力画面上の「Enter」キーにタッチ（接触）すると、操作ボード２２０がここまでの入力をシステムコントローラ３１ａに報知し、システムコントローラ３１ａがスキャナ２１０に、ユーザが指定した読み取り方式の原稿読み取りを指示する。この場合には、ＡＣＰが、読み取った全原稿の画像データを、１ページ毎の、連番を自動付与した連番ファイルで、ＨＤＤの読み込み画像メモリ領域に蓄積する（２５，２６）。
【００８７】
ユーザがメニュー画面７９ｃ上の何れかのキーにタッチし、そして「Enter」キー９４にタッチすると、操作ボード２２０は、図１２に示すファイル化ページ数入力画面を液晶タッチパネル７９に表示する（２−３／９−１０／７−１８）。なお、図１２に示すファイル化ページ数入力画面は、原稿を読み取って配信サーバＤＳＲに送信する「配信」９２が指定された場合のもので、タイトル帯に「配信」と表示されている。「読み込み」９１又は「メール」９３が指示された場合は、タイトル帯に「読み込み」又は「メール」が表示されるが、入力項目は同一である。ここでユーザがモード入力欄９６の読み取り方式を選択指定し、そして「スタート」キー８０ｃを操作すると、システムコントローラ３１ａは、スキャナ２１０に、ユーザが指定した読み取り方式の原稿読み取りを指示する。ここでは、ＡＣＰが、読み取った全原稿の画像データを、１ページ毎の、連番を自動付与した連番ファイルで、ＨＤＤの読み込み画像メモリ領域に蓄積する（４，５／１１，１２／１９，２０）。
【００８８】
原稿読み取りが終わるとシステムコントローラ３１ａは、液晶タッチパネル７９の中央表示欄９７に、図１２に示す分割情報入力画面を表示する。ユーザが均等分割枚数ブロック９７ａにタッチすると、該ブロックが入力可になり、アップ／ダウンキー９７ｇ，９７ｈにタッチすることによって、均等分割枚数値（図面には５と表記）をアップ／ダウンすることができる。均等分割モードの他に、個別枚数モードもある。第１番ファイル枚数欄９７ｂにユーザがタッチすると、均等分割枚数ブロック９７ａは非指定（白丸）の表示に切換り、第１番ファイル枚数欄９７ｂが入力可になり、アップ／ダウンキー９７ｇ，９７ｈにタッチすることによって、第１番ファイル枚数値（図面には０と表記）をアップ／ダウンすることができる。ユーザは同様にして、第２番ファイル以下の枚数値を入力できる（６，１３，２１）。「Enter」キー９７ｊにユーザがタッチすると、操作ボード２２０がファイル宛て枚数値を操作ボード２２０内部にセーブし、液晶タッチパネル７９の中央表示欄９７に図１３−１に示すファイル設定画面を表示する。ここでユーザは、ファイル名および連番初期値を入力する。そして「Enter」キー９７ｊにユーザがタッチすると、システムコントローラ３１ａは、操作ボード２２０に入力があった、ファイル宛て枚数値，ファイル名および連番初期値をＩＭＡＣに与え、ファイル生成（ファイルの編集）を指示する。ＩＭＡＣがこれに対応して、ＨＤＤの読み込み画像メモリ領域に蓄積している最新の自動連番グループの蓄積画像を、与えられたファイル宛て枚数値，ファイル名および連番初期値のファイルに再編集する（７，１４，２２）。
【００８９】
例えば、均等分割モードで分割枚数５で、ファイル名が「ＯＳＡＫＡ」、連番初期値が００１であり、読み込みページ数が２０であったときには、各ファイルが５頁の画像を格納した、４つのファイル「ＯＳＡＫＡ  ００１．ｔｉｆ」〜「ＯＳＡＫＡ  ００１．ｔｉｆ」に変更する。この再編集の態様を図１３−２に示す。均等分割モードではなく、個別枚数モードであって、第１番目  ５枚，第２番目  ７枚，第３番目  ３枚，第４番目  ２枚であって、読み込みページ数が２０であったときには、それぞれが５枚，７枚，３枚，２枚および３枚を格納した第１ファイル「ＯＳＡＫＡ  ００１．ｔｉｆ」〜第５ファイル「ＯＳＡＫＡ  ００５．ｔｉｆ」に再編集する。
【００９０】
ユーザが最初のメニュー７９ｃから選択した読み取りモードが「読み込み」９１であったときには、ＩＭＡＣは、編集した一群のファイルを、ＨＤＤに定めているディレクトリのフォルダ「Image」に格納し、このディレクトリを図１３−３に示すように、液晶ディスプレイ７９に表示する（８）。
【００９１】
ユーザが最初のメニュー７９ｃから選択した読み取りモードが「配信」９２であったときには、ＩＭＡＣは、編集した一群のファイルを、ＨＤＤの読み込み画像メモリ領域に更新書込みする。そして配信サーバＤＳＲに送信し（１５）、配信サーバＤＳＲが返送してきたファイル格納ディレクトリを図１３−３に示すように、液晶ディスプレイ７９に表示する（１６）。
【００９２】
ユーザが最初のメニュー７９ｃから選択した読み取りモードが「メール」９３であったときには、ＩＭＡＣは、編集した一群のファイルを、ＨＤＤの読み込み画像メモリ領域に更新書込みする。そして送信設定の入力画面を液晶ディスプレイに表示してユーザのメール先のＵＲＬ入力を待って、それがあると、インターネットで送信し（２３）、送信先が返送してきたファイル格納ディレクトリを図１３−３に示すように、液晶ディスプレイ７９に表示する（２４）。
【００９３】
図１１に示す読み取り処理により、ＡＤＦ２３０に一度に置いて読み取り動作をした画像、または原稿ガラス上に原稿を置いて読み取りを連続して行った画像を、操作ボード２２０上で指定したページ数毎に分割し、それぞれファイルに作成し、その画像ファイルを送信する。すなわち、図１２のように操作ボード２２０のパネルに分割原稿枚数を入力する画面を表示し、ユーザがそこでページ数を入力すると、１例として原稿２０枚を５ページ毎の均等分割でファイル化する場合は、図１３−２に示すように、２０枚の原稿が５ページ毎に均等分割されて４ファイルとなる。またファイル名については固定の名称部分と重複を避けるための連番を設定することが出来、その設定にしたがって固定（ＯＨＳＡＫＡ）＋連番のファイル名を付けることができる。
【００９４】
図１４には、ＰＣから指令に応答してシステムコントローラ３１ａが実行する原稿読み取りの内容を示す。この原稿読み取りの内容は、大略で上述の図１１に示す処理での操作ボードを、ＬＡＮ接続のＰＣに置換したものである。ＰＣは、操作ボード２２０の前述の入力画面表示およびユーザ入力読み取りと同様な表示および入力読み取りを行う。すなわち、ＡＣＰ／ユーザ間インターフェイスが、操作ボード２２０からＰＣに変わっている。
【００９５】
ＰＣが与えた指示が「ＰＣ読み込み」であるとＡＣＰのシステムコントローラ３１ａは操作ボード２２０の液晶ディスプレイ７９にＰＣ読み込みモードを表示し（３１〜３３）、原稿スキャナ２１０を、ＰＣから与えられた読み取り方式に設定して（３４）、原稿読み取りを行い、読み取り画像データをＨＤＤに蓄積する（３５）。そしてＰＣから与えられた、均等分割モード又は個別枚数モードのファイル宛て枚数値，ファイル名および連番初期値をＩＭＡＣに設定して（３６，３７）、上述の図１１の場合と同様にＩＭＡＣでファイルを再編集して（３８）、ＰＣに送信する（３９）。ＰＣはファイルを受信すると図１３−３の表示ブロックに示すファイル格納ディレクトリを生成し、ＰＣのディスプレイに表示する。ユーザが、マウス又はキーボードを用いて表示ディレクトリ上のファイルを開く操作をすると、ＰＣはディスプレイにファイル内画像のサムネイル画像とプロパティを表示する。ユーザが１つのサムネイル画像をクリックすると、その原型画像をディスプレイに表示する。
【００９６】
ＰＣが与えた指示が「配信」であるとＡＣＰのシステムコントローラ３１ａは、上述の「ＰＣ読み込み」の場合と同様に、原稿読み取りおよびファイル再編集を行う（４０〜４６）そして再編集したファイルを配信サーバＤＳＲに送信し（４７）、送信を終えるとそれをＰＣに報知する（４８）。この報知を受信するとＰＣは、配信サーバＤＣＲから今格納したファイルのディレクトリを得てディスプレイに表示する。ユーザはファイル名称をディスプレイ上で確認して、配信先を入力又は指定しファイルを指定して配信サーバＤＳＲに送信を指示する。配信サーバＤＳＲは指定があったファイルを配信先に送信する。
図１５に、この「配信」の場合のＰＣ／ＡＣＰ（２１０）／ＤＣＲ間の作用関係を示す。
【００９７】
ＰＣが与えた指示が「メール」であるとＡＣＰのシステムコントローラ３１ａは、上述の「ＰＣ読み込み」の場合と同様に、原稿読み取りおよびファイル再編集を行う（４９〜５２）そして再編集したファイルを、ＰＣが指定したインターネット経由の送信先に送信し（５５）、送信を終えるとそれをＰＣに報知する（５６）。この報知を受信するとＰＣは、送信先から今格納したファイルのディレクトリを得てディスプレイに表示する。ユーザはファイル名称をディスプレイ上で確認することができる。
【００９８】
−第２実施例−
第２実施例のハードウエアおよび大部分のソフトウエアは、前述の第１実施例のものと同様であり、図１２に示す分割原稿枚数入力までの読み取り処理も第１実施例と同様である。しかし、分割原稿枚数入力を終えて「Enter」キー９７ｊにタッチがあると、第２実施例では液晶ディスプレイ７９に、図１６−１に示すフォルダ名およびファイル名入力画面を表示する。これらを入力すると、指定の送信先のディレクトリ内にその名称で新たにフォルダを作成し、その中に連番のイメージデータファイルを書き込む。本実施例では、連番は自動付与で、１００から始められる。例えば原稿１６枚を読み取って、入力したフォルダ名「ＫＡＮＳＡＩ」に入力したファイル名「ＫＹＯＴＯ」で１ファイル宛て４枚で格納する指定で読み取りを実行すると、図１６−２に示すファイルが生成され、図１６−３に示すディレクトリが生成される。その他の処理は、上述の第１実施例と同様である。
【００９９】
−第３実施例−
第３実施例のハードウエアおよび大部分のソフトウエアは、前述の第１実施例のものと同様であり、図１２に示す分割原稿枚数入力までの読み取り処理も第１実施例と同様である。しかし、分割原稿枚数入力を終えて「Enter」キー９７ｊにタッチがあると、第３実施例では液晶ディスプレイ７９に、図１７−１に示すフォルダ名，ファイル名および重複付加番号桁数の入力画面を表示する。これらを入力すると、指定の送信先のディレクトリ内にその名称で新たにフォルダを作成し、その中に連番のイメージデータファイルを書き込む。ここで、指定フォルダ名がディレクトリに既存でなかったときには、以降の処理は上述の第２実施例と同様となる。
【０１００】
しかし、指定フォルダ名がディレクトリに既存であった場合には、指定の送信先のディレクトリ内に指定桁数で連番を付けたフォルダ名を生成し、そこにファイルを格納する。連番も重複することがあるので、連番の１から１づつ加算して存在を確認して重複がないことが確認できたところでフォルダ名を確定する。例えば原稿９枚を読み取って、入力したフォルダ名「ＴＯＵＨＯＫＵ」に入力したファイル名「ＳＥＮＤＡＩ」で１ファイル宛て３枚で格納する指定で読み取りを実行すると、図１７−２に示すファイルが生成され、図１７−３に示すディレクトリが生成される。その他の処理は、上述の第１実施例と同様である。
【０１０１】
−第４実施例−
第４実施例のハードウエアおよび大部分のソフトウエアは、前述の第１実施例のものと同様であるが、「ＰＣからの指示に応答する読み取り」の内容が、図１４に示すものから、図１８に示すものに変わっている。この第４実施例（図１８）では、原稿スキャナ２１０を、ＰＣから与えられた読み取り方式に設定して（６１，６２）、原稿読み取りを行い、読み取り画像データをＨＤＤに蓄積する（６３）。そして蓄積画像のサムネイル画像を生成してＰＣに送信する（６４）。ＰＣは受信したサムネイル画像をＰＣのディスプレイに表示する。ここでユーザが、ＰＣに均等分割モード又は個別枚数モードのファイル宛て枚数値，ファイル名および連番初期値を入力し続行を指示すると、ＰＣからＡＣＰにそれらのデータが送られる（６５）。ＡＣＰは、ファイル宛て枚数値，ファイル名および連番初期値をＩＭＡＣに設定して、上述の図１１の場合と同様にＩＭＡＣでファイルを再編集する（６６）。
【０１０２】
そして、ＰＣが与えた指示が「ＰＣ読み込み」であると、再編集したファイルをＰＣに送信する（６８）。ＰＣはファイルを受信すると図１３−３の表示ブロックに示すファイル格納ディレクトリを生成し、ＰＣのディスプレイに表示する。ユーザが、マウス又はキーボードを用いて表示ディレクトリ上のファイルを開く操作をすると、ＰＣはディスプレイにファイル内画像のサムネイル画像とプロパティを表示する。ユーザが１つのサムネイル画像をクリックすると、その原型画像をディスプレイに表示する。
【０１０３】
ＰＣが与えた指示が「配信」であるとＡＣＰのＩＭＡＣは、再編集したファイルを配信サーバＤＳＲに送信し（７０）、送信を終えるとそれをＰＣに報知する（７１）。この報知を受信するとＰＣは、配信サーバＤＣＲから今格納したファイルのディレクトリを得てディスプレイに表示する。ユーザはファイル名称をディスプレイ上で確認して、配信先を入力又は指定しファイルを指定して配信サーバＤＳＲに送信を指示する。配信サーバＤＳＲは指定があったファイルを配信先に送信する。
【０１０４】
ＰＣが与えた指示が「メール」であるとＡＣＰのＩＭＡＣは、再編集したファイルを、ＰＣが指定したインターネット経由の送信先に送信し（７３）、送信を終えるとそれをＰＣに報知する（７４）。この報知を受信するとＰＣは、送信先から今格納したファイルのディレクトリを得てディスプレイに表示する。ユーザはファイル名称をディスプレイ上で確認することができる。
その他の処理は、上述の第１実施例と同様である。
【０１０５】
−第５実施例−
第５実施例のハードウエアおよび大部分のソフトウエアは、前述の第１実施例のものと同様であるが、「読み取り」の内容が図１１に示すものから図１９に示すものに変わり、また、「ＰＣからの指示に応答する読み取り」の内容が、図１４に示すものから、図２０に示すものに変わっている。第１実施例（図１１，図１５）では、全原稿を読み取って画像データをＨＤＤの画像メモリ領域に一旦蓄積してから、均等分割モード又は個別枚数モードのファイル宛て枚数値，ファイル名および連番初期値をユーザが入力し、これらの入力データに従ってファイルを再編集して、ＨＤＤの画像メモリ領域に更新書込みしてから、送信指定の場合には送信を行う（例えば５〜７，１２〜１５，２０〜２３／３５〜３８，４３〜４７，５２〜５５）。
【０１０６】
しかし第５実施例では、均等分割モード又は個別枚数モードのファイル宛て枚数値，ファイル名および連番初期値を設定して、送信指定の場合には送信先と通信接続をおこなってから（８５〜８６，９２〜９４，１００〜１０２／１１５〜１１６，１２２〜１２４，１３０〜１３２）、スキャナ２１０による原稿読み取りを開始して、１ファイル分の枚数の原稿の読み取りを終えるとそこで読み取りの進行を停止して、ＨＤＤの画像メモリ領域に蓄積した１ファイル分の画像データを指定ファイル名および連番初期値から定まるファイルに再編集して送信又は所定ディレクトリに格納し、生成すべき後続ファイルがあると、原稿読み取りを再開して同様に、次のファイルを生成して送信又は所定ディレクトリに格納する。これを、均等分割モード又は個別枚数モードのファイル宛て枚数値の合計数の原稿枚数分繰り返す（８７，９５，１０３／１１７，１２５，１３３）。なお、ＡＤＦを用いる読み取りの場合に合計数の原稿読み取りを完了する前にＡＤＦの原稿がなくなったときは、そこでファイルの生成をする。合計数の原稿読み取りを完了しても、ＡＤＦに未読み取り原稿が残っていると、残り全部の読み取りを終えてから追加のファイルを連番で生成する。
【０１０７】
この第５実施例では、原稿読み取りのときにＨＤＤの画像メモリ領域に蓄積する画像数が１ファイル分と少なくて済むので、ＨＤＤのメモリ配分を比較的に簡易にすることができる。ＨＤＤに代えてＭＥＭを使用可能な機会が増えるので、たとえばファイル宛て枚数値が少ない設定の場合にはＨＤＤに代えてＭＥＭを使用することができる。
【図面の簡単な説明】
【０１０８】
【図１】本発明の１実施例の、複合画像処理機能があるフルカラー複写機の外観を示す拡大正面図である。
【図２】図１に示すカラープリンタＰＴＲの拡大縦断面図である。
【図３】図１に示すカラースキャナ２１０およびＡＤＦ２３０の拡大縦断面図である。
【図４】図１に示す複写機内の、画像処理システムの構成を示すブロック図である。
【図５】図４に示す画像データインターフェース制御ＣＤＩＣの構成を示すブロック図である。
【図６】図４に示す画像メモリアクセス制御ＩＭＡＣの構成を示すブロック図である。
【図７】図４に示す画像データ処理器ＩＰＰの処理機能の概要を示すブロック図である。
【図８】図７に示す処理機能の内容を示すブロック図である。
【図９】図１に示す操作ボード２２０の一部の拡大平面図であり、コピー指示の入力画面の表示状態を示す。
【図１０】図１に示す操作ボード２２０の一部の拡大平面図であり、読み取り指示の入力画面の表示状態を示す。
【図１１】図４に示すシステムコントローラ３１ａの「読み取り」ＳＣＵの制御フローを示すフローチャートである。
【図１２】図１０に示す液晶ディスプレイ７９に表示される原稿群分割設定のための入力画面を示す平面図である。
【図１３−１】図１０に示す液晶ディスプレイ７９に表示されるファイルの名称設定のための入力画面を示す平面図である。
【図１３−２】原稿群分割およびファイルの名称設定によって生成されるファイルともとの読み取り対象の原稿群との関係を示す説明図である。
【図１３−３】原稿群分割およびファイルの名称設定によって生成されたファイルの格納先ディレクトリを表示した液晶ディスプレイ７９の平面図である。
【図１４】図４に示すシステムコントローラ３１ａの「ＰＣからの指示に応答する読み取り」ＳＣｐｃの制御フローを示すフローチャートである。
【図１５】図１４に示すステップ４０〜４８のルートの処理により、図４に示すＰＣがスキャナ２１０の画像読み取りデータを配信サーバＤＳＲに原稿画像データを送信する「配信」の場合のＰＣ／２１０）／ＤＣＲ間の作用関係を示す説明図である。
【図１６−１】第２実施例において、図１０に示す液晶ディスプレイ７９に表示されるファイルの名称設定のための入力画面を示す平面図である。
【図１６−２】第２実施例において、原稿群分割およびファイルの名称設定によって生成されるファイルともとの読み取り対象の原稿群との関係を示す説明図である。
【図１６−３】第２実施例において、原稿群分割およびファイルの名称設定によって生成されたファイルの格納先ディレクトリを表示した液晶ディスプレイ７９の平面図である。
【図１７−１】第３実施例において、図１０に示す液晶ディスプレイ７９に表示されるファイルの名称設定のための入力画面を示す平面図である。
【図１７−２】第３実施例において、原稿群分割およびファイルの名称設定によって生成されるファイルともとの読み取り対象の原稿群との関係を示す説明図である。
【図１７−３】第３実施例において、原稿群分割およびファイルの名称設定によって生成されたファイルの格納先ディレクトリを表示した液晶ディスプレイ７９の平面図である。
【図１８】第４実施例の、図４に示すシステムコントローラ３１ａの「ＰＣからの指示に応答する読み取り」ＶＳＣｐｃの制御フローを示すフローチャートである。
【図１９】第５実施例の、図４に示すシステムコントローラ３１ａの「読み取り」Ｖｓｃの制御フローを示すフローチャートである。
【図２０】第５実施例の、図４に示すシステムコントローラ３１ａの「ＰＣからの指示に応答する読み取り」Ｖｓｃｐｃの制御フローを示すフローチャートである。
【符号の説明】
【０１０９】
８：第１トレイ
９：第２トレイ      １０：第３トレイ
１１：第１給紙装置  １２：第２給紙装置
１３：第３給紙装置  １４：縦搬送ユニット
１５：感光体        １６：搬送ベルト
１７：定着ユニット  １８：排紙ユニット
１９：分岐爪        ２６：搬送モータ
２７：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
２２１，２２５：ロータリエンコーダ
２２４：ステッピングモータ
２３１：原稿台ガラス    ２３２：照明ランプ
２３３：第１ミラー      ２３４：第２ミラー
２３５：第３ミラー      ２３６：レンズ
２０７：イメージセンサ  ２３８：ステッピングモータ
２３９：基準白板      ２４０：ガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ兼用の圧板
２４９：基点センサ      ２５０：軸
２５１：スケール        ２６０：モータ制御ユニット
４０８：撮像装置        ４０９：白色背板
【図１】
2005217624.tif 000003
【図２】
2005217624.tif 000004
【図３】
2005217624.tif 000005
【図４】
2005217624.tif 000006
【図５】
2005217624.tif 000007
【図６】
2005217624.tif 000008
【図７】
2005217624.tif 000009
【図８】
2005217624.tif 000010
【図９】
2005217624.tif 000011
【図１０】
2005217624.tif 000012
【図１１】
2005217624.tif 000013
【図１２】
2005217624.tif 000014
【図１３−１】
2005217624.tif 000015
【図１３−２】
2005217624.tif 000016
【図１３−３】
2005217624.tif 000017
【図１４】
2005217624.tif 000018
【図１５】
2005217624.tif 000019
【図１６−１】
2005217624.tif 000020
【図１６−２】
2005217624.tif 000021
【図１６−３】
2005217624.tif 000022
【図１７−１】
2005217624.tif 000023
【図１７−２】
2005217624.tif 000024
【図１７−３】
2005217624.tif 000025
【図１８】
2005217624.tif 000026
【図１９】
2005217624.tif 000027
【図２０】
2005217624.tif 000028